(57)【特許請求の範囲】
【請求項１】
下敷台（１）上端のレール上に載せて置いた玩具模型機関車において、
モーターにより稼動される先方のボイラー車（１０）の下部のピストンロッドに連結された動力輪がレールから間隙を置いて配置され、該動力輪がもとの場所で空回りにして回転（前進）又は逆回転（後進）できるようにされていて、機関車の作動音と汽笛音及び鐘の音が発声される玩具模型機関車であり、
アラーム及び時計を調整する時計調整部と、
前記動力輪の前・後進及び速度をボタン及びスピード調整具により調整するモータードライブチップを有したモーター駆動部と、
汽笛音、鐘の音、機関車の作動音をボタンにより調整するサウンドチップを有した機関車の音部と、
前記時計調整部と、前記モーター駆動部と、前記機関車の音部とを相互連結させるエーシックチップを有した主制御部とを備え、
前記主制御部は、アラームの時間になったら前記動力輪を予め調整された方向に予め調整された速度で作動させながら、前記サウンドチップにより調整された音声をスピーカーから発声させることを特徴とする玩具模型機関車。
【請求項２】
汽笛音、鐘の音、機関車の作動音を調整する前記サウンドチップ及びスピーカーを前記先方のボイラー車（１０）の後方の石炭貨車（１１）の内部に設置させてなることを特徴とする請求項１に記載の玩具模型機関車。
【請求項３】
前記先方のボイラー車（１０）の後部に、動物の音又は人の笑い声をボタンにより調整するサウンドチップ及びスピーカーを内蔵したサウンド１、２貨車とサウンド３、４貨車を連結させ、該サウンドチップによりサウンド１、サウンド２、サウンド３、サウンド４を調整して、それらのサウンドを前記主制御部の制御により選別的に内蔵したスピーカーから発声するようにしてなることを特徴とする請求項１に記載の玩具模型機関車。
【請求項４】
前記主制御部の指示で副制御部の制御により、前記サウンド１、前記サウンド２、前記サウンド３、前記サウンド４を順に内蔵したスピーカーから発声するようにしてなることを特徴とする請求項３に記載の玩具模型機関車。
【発明の詳細な説明】
【技術分野】
【０００１】
本発明は玩具模型機関車、特にはアラーム機能を設置してアラーム時間になったら模型機関車が作動しながら機関車の作動音と汽笛音及び鐘の音が発声させ、模型機関車の後部に貨車及び客車を連結させて各種動物の音及び人の笑い声等もアラーム機能で様々に発声できる玩具模型機関車に関するものである。
【背景技術】
【０００２】
従来のアラーム機能は、主に卓上時計において目覚し時計が鳴るようにするとか、又は特定物体にこれと関連があるサウンド・チップを用いて特定物体の作動と共に発声するようにするだけで、非常に単調であって噂好及び趣向がそれぞれ相違する人々の興味をひくことができなかった。
また、従来より玩具模型機関車は多く市販されており、その部品の改造等も屡々おこなわれている（例えば、特許文献１参照）。しかしながら、アラーム機能による各種の発声を備えた玩具模型機関車については、未だその例を見ない。
【特許文献１】特開平９−１４０９４６号公報
【発明の開示】
【発明が解決しようとする課題】
【０００３】
本発明は上記に鑑み、アラーム機能を設置してアラーム時間になったら模型機関車が作動しながら機関車の作動音と汽笛音及び鐘の音を発声させ、模型機関車の後部に貨車及び客車を連結させて各種動物の音及び人の笑い声等もアラーム機能で様々に発声できる玩具模型機関車を提供するところに、その目的を有する。
【課題を解決するための手段】
【０００４】
１）下敷台（１）上端のレール上に載せて置いた玩具模型機関車において、
モーターにより稼動される先方のボイラー車（１０）の下部のピストンロッドに連結された動力輪がレールから間隙を置いて配置され、該動力輪がもとの場所で空回りにして回転（前進）又は逆回転（後進）できるようにされていて、機関車の作動音と汽笛音及び鐘の音が発声される玩具模型機関車であり、
アラーム及び時計を調整する時計調整部と、
前記動力輪の前・後進及び速度をボタン及びスピード調整具により調整するモータードライブチップを有したモーター駆動部と、
汽笛音、鐘の音、機関車の作動音をボタンにより調整するサウンドチップを有した機関車の音部と、
前記時計調整部と、前記モーター駆動部と、前記機関車の音部とを相互連結させるエーシックチップを有した主制御部とを備え、
前記主制御部は、アラームの時間になったら前記動力輪を予め調整された方向に予め調整された速度で作動させながら、前記サウンドチップにより調整された音声をスピーカーから発声させることを特徴とする。
２）上記の１）において、汽笛音、鐘の音、機関車の作動音を調整する前記サウンドチップ及びスピーカーを前記先方のボイラー車（１０）の後方の石炭貨車（１１）の内部に設置させてなることを特徴とする。
３）上記の１）において、前記先方のボイラー車（１０）の後部に、動物の音又は人の笑い声をボタンにより調整するサウンドチップ及びスピーカーを内蔵したサウンド１、２貨車とサウンド３、４貨車を連結させ、該サウンドチップによりサウンド１、サウンド２、サウンド３、サウンド４を調整して、それらのサウンドを前記主制御部の制御により選別的に内蔵したスピーカーから発声するようにしてなることを特徴とする。
４）上記の３）において、前記主制御部の指示で副制御部の制御により、前記サウンド１、前記サウンド２、前記サウンド３、前記サウンド４を順に内蔵したスピーカーから発声するようにしてなることを特徴とする。
【０００５】
すなわち、下敷台上端のレール上の玩具模型機関車でモーターにより稼動される先方のボイラー車の下部のピストンロッドに連結された動力輪のみレールから若干間隙を置き、もとの場所で空回りにして回転（前進）又は逆回転（後進）されるようにした玩具模型機関車であり、アラームセットでアラーム及び時計を調整する時計調整部、前・後進及び速度を調整するモータードライブチップを有したモーター駆動部、そして汽笛音、鐘の音、機関車の作動音を調整するサウンドチップを有した機関車の音部を相互連結させたエーシックチップを有した主制御部の各回路を備え、アラーム時間になったら模型機関車が作動しながら後方の石炭貨車の内部のサウンドチップとスピーカーで機関車の音が発声されるように調整させて、また先方のボイラー車の後部に各種動物の音又は人の笑い声等を調整するサウンドチップとスピーカーを内蔵したサウンド（ｓｏｕｎｄ）１、２貨車とサウンド（ｓｏｕｎｄ）３、４貨車を連結させて、主制御部の制御により選別的又は副制御部の制御で順に多様に発声するようにしたものである。
【発明の効果】
【０００６】
本発明の玩具模型機関車は、時計調整部のアラームセットとして必要とするアラーム時間を、ＡＬＡＲＭ、ＳＡＶＥ、ＨＯＵＲ、ＭＩＮ．で調整すると共に、所望の前・後進の作動と速度に合わせてモーター駆動部のＦＦ、ＲＥＶ、ＳＰＥＥＤ調整具を調整し、所望の発声に合わせて機関車の音部の汽笛音（ＨＯＲＮ）、鐘の音（ＢＥＬＬ）を調整し、調整後、主制御部の時計及びアラーム機能の回路に合わせた時間になったら、モーター駆動部によって正回転（前進）又は逆回転（後進）で回転速度に合わせて模型機関車が作動しながら、機関車の音部によって機関車の作動音と汽笛音、鐘の音が発声されるものである。
そして、先方のボイラー車の後部に所望の動物の音及び人の笑い音等のサウンドチップ及びスピーカーを内蔵したサウンド（ｓｏｕｎｄ）１、２貨車、サウンド（ｓｏｕｎｄ）３、４貨車、サウンド（ｓｏｕｎｄ）５、６貨車、サウンド（ｓｏｕｎｄ）７、８客車のうちより所望のものを選択して連結させれば、主制御部の指示で副制御部の指示によってサウンド１、サウンド２、サウンド３、サウンド４が順に発声されるようにするとか、又は、サウンド１〜４を調整してサウンド１〜４を選別的に発声されるようにして、模型機聞車の作動音のみならず各種の音を多様に選択して発声させることができる玩具模型機関車を提供することができる。
【発明を実施するための最良の形態】
【０００７】
［実施の形態１］
図１は、本発明を構成して実施した模型正面図である。
図２は、本発明の全体的な作動進行の状態を見せた進行図表である。
図３ａは、本実施の形態における回路図であって、時計及びアラーム機能の回路図と音機能の回路図がある主制御部の回路図、図３ｂは、機関車の前・後進と速度を調整する速度調節機能の回路図、図３ｃは、主制御部の指示で副制御部がサウンド（ＳＯＵＮＤ）１、サウンド（ＳＯＵＮＤ）２、サウンド（ＳＯＵＮＤ）３、サウンド（ＳＯＵＮＤ）４、を順に発声するようにする機能回路図である。
【０００８】
すなわち、図１において、下敷台（１）上端のレールに玩具模型機関車と２台の貨車が連結されるように載せておいた模型正面図に示すように、下敷台（１）中間の左側上部にデジタル時計が、その下部にアラームを調整するアラームセットのＡＬＡＲＭ、ＳＡＶＥ、ＨＯＵＲ、ＭＩＮ．ボタンがあって、中間上部にＦＦ、ＲＥＶ、Ｓｌ（ＳＯＵＮＤ１）、Ｓ２（ＳＯＵＮＤ２）のボタンが、またその下部にはＨＯＲＮ、ＢＥＬＬ、Ｓ３（ＳＯＵＮＤ３）、Ｓ４（ＳＯＵＮＤ４）のボタンがあって、さらにその右側には模型機関車の速度を調整するＳＰＥＥＤ調整具と、上ＴＲＡＩＮ、中ＣＬＯＣＫ、下ＴＩＭＥＲで上、中、下にして調整できる調整レバーが敷設されている。
図２は、本発明の全体的な作動進行状態の過程を見せた進行図表であり、また、図３ａは主制御部の回路図で、ＡＳＩＣ ＣＨＩＰ（エーシックチップ）を用いたものであり左側回路は、時計及びアラーム機能の回路図であり、右側上部の回路は、機関車の音部の回路図でＳＯＵＮＤ ＣＨＩＰ（サウンドチップ）４ＭＢを用いたもので、前・後進の機関車の作動音、汽笛音、鐘の音を調整する機能の回路として汽車レールに接続されている。
図３ｂは、機関車の前・後進と速度を調整するモーター駆動部をＭＯＴＯＲＤＲＩＶＥ ＣＨＩＰ(モータードライブチップ)で用いた速度調節機能の回路図であって、図３ｃは、主制御部の指示で副制御部がＳＯＵＮＤｌ(サウンド１）、ＳＯＵＮＤ２(サウンド２）、ＳＯＵＮＤ３(サウンド３）、ＳＯＵＮＤ４(サウンド４）を順に発声するようにする機能の回路図である。
【０００９】
下敷台（１）上端のレール上に載せた玩具模型機関車において、モーターによって稼動される先方のボイラー車（１０）の下部のピストンロッドに連結された動力輪がレールから若干間隙を置き、該動力輪がもとの場所で空回りにして回転（前進）又は逆回転（後進）されるようにして、機関車の作動音と汽笛音及び鐘の音が発声されるようになる模型機関車を、ＡＬＡＲＭ、ＳＡＶＥ、ＨＯＵＲ、ＭＩＮ．でアラーム及び時計を調整する時計調整部（ＣＯＮＴＲＯＬＬＥＲ）と、ＦＦ、ＲＥＶ、ＳＰＥＥＤで各前・後進及び速度を調整するモーター駆動部（ＭＯＴＯＲ ＤＲＩＶＥ）、そして汽笛音（ＨＯＲＮ）、鐘の音（ＢＥＬＬ）、機関車の作動音を調整する機関車の音部（ＴＲＡＩＮ ＳＯＵＮＤ）を相互に連結させた主制御部の回路を有し、アラーム時間になったら模型機関車が作動しながら後方の石炭貨車（１１）の内部のサウンドチップによりスピーカーで機関車の音が発声されるように調整させ、模型機関車の後部には、各種動物の音又は人の笑い音等のサウンドチップ（ＳＯＵＮＤ ＣＨＩＰ）及びスピーカーを内蔵したｓｏｕｎｄ１、２貨車とｓｏｕｎｄ３、４貨車、ｓｏｕｎｄ５、６貨車、ｓｏｕｎｄ７、８客車のうちから選択し、連結させてＳＯＵＮＤ１、ＳＯＵＮＤ２、ＳＯＵＮＤ３、ＳＯＵＮＤ４を調整して主制御部の制御により選別的に、又は副制御部の制御で順序に発声するようにしたものである。
【図面の簡単な説明】
【００１０】
【図１】本発明を構成して実施した模型正面図。
【図２】本発明の全体的な作動進行の状態を見せた進行図表。
【図３ａ】本発明の時計及びアラーム機能の回路図と音機能の回路図がある主制御部の回路図。
【図３ｂ】本発明の機関車の前・後進と速度を調整する速度調節機能の回路図。
【図３ｃ】本発明の主制御部の指示で副制御部がサウンド（ＳＯＵＮＤ）ｌ、サウンド（ＳＯＵＮＤ）２、サウンド（ＳＯＵＮＤ）３、サウンド（ＳＯＵＮＤ）４、を順に発声するようにする機能回路図。
【符号の説明】
【００１１】
１  下敷台
１０  先方のボイラー車
１１  後方の石炭貨車
【図１】
0004612656.tif 000002
【図２】
0004612656.tif 000003
【図３ａ】
0004612656.tif 000004
【図３ｂ】
0004612656.tif 000005
【図３ｃ】
0004612656.tif 000006